(57)【要約】【課題】  水槽内に設置された配管と、この配管に着脱自在に装着される流体機械とを備えた着脱式送水装置において、水槽の蓋の開口を小さくし、または、着脱式送水装置の設置面積の低減を図る。【解決手段】  配管２０には、上下方向に延びる案内棒１１が固定されている。案内棒１１の下側には、湾曲部１１ａが形成されている。水中ミキサ１０には、案内棒１１と係合するローラ５ａ〜５ｃを有する案内部材４が設けられている。水中ミキサ１０が案内棒１１に沿って吊り降ろされると、水中ミキサ１０の姿勢は傾斜姿勢から水平姿勢に変更され、水中ミキサ１０の羽根車２が配管２０の内部に収容される。配管２０の開口端には、羽根車用ケーシング２５が形成されている。【選択図】  図１
2006029120.tif 000002
【特許請求の範囲】
【請求項１】
水槽内に設置され、前記水槽内に開放された開口端を有する配管と、
前記配管の開口端に着脱自在に設けられ、前記水槽内の水に浸漬された状態で前記配管を通じて水を搬送する流体機械と、
前記水槽内に設置され、略上下方向に延びる案内棒と、
前記流体機械に固定され、前記案内棒と係合することによって前記流体機械の昇降を案内する案内部材と、
を備えた着脱式送水装置であって、
前記流体機械における案内されているときの姿勢と前記配管に装着されたときの姿勢とは、互いに異なっている着脱式送水装置。
【請求項２】
前記流体機械が前記配管に装着されたときに、前記流体機械の一部が前記配管の開口端から前記配管の内部に収容される請求項１記載の着脱式送水装置。
【請求項３】
前記流体機械は、回転する羽根車を備え、
前記配管の開口端には、羽根車用ケーシングが設けられ、
前記流体機械が前記配管に装着されたときに、前記羽根車が前記羽根車用ケーシングの内部に収容される請求項２記載の着脱式送水装置。
【請求項４】
前記流体機械は、水中モータと、水中モータの回転軸に連結された羽根車と、前記羽根車と前記水中モータの前記羽根車側の一部とを覆うケーシングとを備え、
前記流体機械が前記配管に装着されたときに、前記ケーシングと前記配管とが連続しかつ前記水中モータの残部が前記配管の内部に収容される請求項２記載の着脱式送水装置。
【請求項５】
前記流体機械が前記配管に装着されたときの前記流体機械及び前記配管の全体の平面視面積は、前記流体機械及び前記配管のそれぞれの平面視面積を足し合わせた面積よりも小さい請求項１〜４のいずれか一つに記載の着脱式送水装置。
【請求項６】
前記案内棒の一部は曲がっており、
前記案内部材は、前記案内棒を狭持する狭持部材を備えている請求項１〜５のいずれか一つに記載の着脱式送水装置。
【請求項７】
水槽内に設置され、前記水槽内に開放された開口端を有する配管と、
前記配管の開口端に着脱自在に設けられ、前記水槽内の水に浸漬された状態で前記配管を通じて水を搬送する流体機械と、
を備えた着脱式送水装置の設置方法であって、
前記流体機械を水槽内に降下させる工程と、
前記流体機械を引き続き降下させながら前記流体機械の姿勢を変更する工程と、
前記流体機械を引き続き降下させながら変更後の姿勢で前記配管の開口端に装着する工程と、
を包含する着脱式送水装置の設置方法。
【発明の詳細な説明】
【技術分野】
【０００１】
本発明は、配管と当該配管に対して着脱自在な流体機械とを備えた着脱式送水装置及びその設置方法に関する。
【背景技術】
【０００２】
従来より、例えば汚水処理等の分野において、水槽内に設置された配管と、この配管の流入口又は流出口の外側に取り付けられた流体機械（例えば、水中ミキサや水中ポンプ等）とを備えた送水装置が知られている。流体機械が配管の流入口に取り付けられている場合には、流体機械が水中で作動することによって、水槽内の水が配管内に導入される。そして、配管内に導入された水は、当該配管を通じて水槽内に戻されるか、あるいは水槽外に排出される。一方、流体機械が配管の流出口に取り付けられている場合には、流体機械が水中で作動することによって、配管内の水が流体機械によって吸引され、当該配管から水槽内に供給される。
【０００３】
ところで、流体機械の据え付け及びメンテナンスの容易化を図るため、流体機械を配管に対して着脱自在に構成することも多い。例えば、下記特許文献１〜３に開示された装置では、水槽内に上下方向に延びる案内棒を設け、流体機械をこの案内棒に沿って配管の流入口付近まで吊り降ろすことにより、配管に対する流体機械の自動装着を可能としている。上記装置では、メンテナンスの際には、流体機械を案内棒に沿って吊り上げることによって配管から取り外し、水槽外に搬出する。
【０００４】
ここで、図７を参照しながら、従来の着脱式送水装置について説明する。この送水装置は、水槽内に設置された配管１２０と、配管１２０に対して着脱自在な水中ミキサ１００とを備えている。配管１２０の上部には、上下方向に延びる案内棒１１０が取り付けられている。水中ミキサ１００は、水中モータ１０１と、水中モータ１０１の回転軸に連結された羽根車１０２と、羽根車１０２の周囲を覆う羽根車ケーシング１０３とを備えている。また、水中ミキサ１００には、支持板１０４と、支持板１０４の先端側に回転自在に支持されたローラ１０５とが設けられている。ローラ１０５は案内棒１１０に係合しており、水中ミキサ１００の案内棒１１０に沿った上下移動を案内する。
【０００５】
上記着脱式送水装置では、水中ミキサ１００が案内棒１１０に沿って所定位置まで吊り降ろされると、水中ミキサ１００の羽根車ケーシング１０３は、配管１２０の開口端の位置にまで到達する。その結果、羽根車ケーシング１０３と配管１２０の開口端とが連続し、水中ミキサ１００は配管１２０に装着されることになる。
【０００６】
図８は、従来の他の着脱式送水装置を示している。この送水装置は、水槽内に固定された配管１２０と、配管１２０に対して着脱自在な水中ポンプ１０９とを備えている。水中ポンプ１０９は、水中モータ１０７と、水中モータ１０１の回転軸に連結された羽根車１０８と、水中モータ１０１及び羽根車１０８の全体を覆うケーシング１０６とを備えている。この送水装置においても、水中ポンプ１０９に支持板１０４が固定され、支持板１０４には、案内棒１１０と係合するローラ１０５が取り付けられている。水中ポンプ１０９を案内棒１１０に沿って所定位置まで吊り降ろすと、水中ポンプ１０９のケーシング１０６と配管１２０の開口端とが連続し、水中ポンプ１０９は配管１２０に装着されることになる。
【特許文献１】特開昭６０−１９０２９４号公報
【特許文献２】特開２００２−１８０４４３号公報
【特許文献３】特開２００３−４９７９０号公報
【発明の開示】
【発明が解決しようとする課題】
【０００７】
しかしながら、従来の着脱式送水装置には、設置面積（平面視面積）が大きいという課題があった。すなわち、従来の着脱式送水装置は、水中ミキサ１００や水中ポンプ１０９（以下、水中ミキサ１００等という）を、配管１２０に装着されるときの姿勢のまま昇降させるものであった。そのため、装置の設置面積として、水中ミキサ１００等自体の設置面積と、配管１２０の設置面積とを加えた面積が少なくとも必要であった。
【０００８】
また、水中ミキサ１００に対して、羽根車１０２を覆う羽根車ケーシング１０３を設ける必要があった。また、水中ポンプ１０９に対して、水中モータ１０１及び羽根車１０８の全体を覆うケーシング１０６が必要であった。そのため、ケーシング１０３，１０６の分だけ水中ミキサ１００等の大型化又は重量化を招き、水中ミキサ１００等の着脱作業に手間と時間がかかっていた。
【０００９】
さらに、例えばマンホールポンプ場等のように、水槽には、開口１３１が形成された蓋１３０が設けられている場合がある。ところが、従来の着脱式送水装置では、水中ミキサ１００等を水槽内に搬入しあるいは水槽から搬出するためには、水中ミキサ１００等の横方向長さＬ２以上の長さＡ２を有する開口１３１が必要であった。すなわち、蓋１３０に対して、比較的大きな開口１３１を形成しておく必要があった。
【００１０】
本発明は、かかる点に鑑みてなされたものであり、その目的の一つは、着脱式送水装置の設置水槽の蓋の開口を小さくすることである。また、本発明の他の目的は、着脱式送水装置の設置面積の低減を図ることである。また、本発明の他の目的は、着脱式送水装置における流体機械の小型化又は軽量化を図ることである。
【課題を解決するための手段】
【００１１】
本発明に係る着脱式送水装置は、水槽内に設置され、前記水槽内に開放された開口端を有する配管と、前記配管の開口端に着脱自在に設けられ、前記水槽内の水に浸漬された状態で前記配管を通じて水を搬送する流体機械と、前記水槽内に設置され、略上下方向に延びる案内棒と、前記流体機械に固定され、前記案内棒と係合することによって前記流体機械の昇降を案内する案内部材と、を備えた着脱式送水装置であって、前記流体機械における案内されているときの姿勢と前記配管に装着されたときの姿勢とは、互いに異なっているものである。
【００１２】
上記着脱式送水装置では、流体機械の姿勢は、案内棒に沿って案内されているときと配管に装着されたときとで、互いに異なる。すなわち、上記着脱式送水装置では、配管に装着される際に、流体機械の姿勢変更が行われる。そのため、流体機械の案内時の姿勢を調整することにより、案内時における流体機械の平面視面積を装着時よりも小さくすることができる。水槽の蓋の開口から流体機械を搬入する際に、搬入時の平面視面積が装着時よりも小さくなるように姿勢を調整することにより、従来よりも小さな開口から流体機械を搬入することが可能となる。そのため、蓋の開口の必要面積を小さくすることが可能となる。また、流体機械の装着時の姿勢を調整することにより、装置全体の設置面積を小さくすることが可能となる。
【００１３】
前記着脱式送水装置は、前記流体機械が前記配管に装着されたときに、前記流体機械の一部が前記配管の開口端から前記配管の内部に収容されるものであることが好ましい。
【００１４】
このことにより、装着時に、流体機械の一部は配管の内部に入り込む。そのため、平面視において、流体機械の一部と配管とは重なり合う。したがって、装置全体の平面視面積は、流体機械自体の平面視面積と配管自体の平面視面積とを足し合わせた面積よりも小さくなる。よって、装置全体の設置面積は低減される。
【００１５】
前記流体機械は、回転する羽根車を備え、前記配管の開口端には、羽根車用ケーシングが設けられ、前記流体機械が前記配管に装着されたときに、前記羽根車が前記羽根車用ケーシングの内部に収容されることが好ましい。
【００１６】
なお、羽根車用ケーシングは、配管と一体的に形成されていてもよく、配管と別体に形成され、配管に対して固定されていてもよい。
【００１７】
このことにより、流体機械に羽根車用ケーシングを設ける必要はなくなる。そのため、羽根車用ケーシングがない分だけ、流体機械の小型化及び軽量化が図られる。
【００１８】
前記流体機械は、水中モータと、水中モータの回転軸に連結された羽根車と、前記羽根車と前記水中モータの前記羽根車側の一部とを覆うケーシングとを備え、前記流体機械が前記配管に装着されたときに、前記ケーシングと前記配管とが連続しかつ前記水中モータの残部が前記配管の内部に収容されるものであってもよい。
【００１９】
このことにより、水中モータの一部（羽根車と反対の側の一部）は配管によって覆われる。そのため、水中モータの全体を覆うケーシングを流体機械に設けることは不要となる。したがって、ケーシングを部分的に省略することができるので、流体機械の小型化及び軽量化が図られる。
【００２０】
前記流体機械が前記配管に装着されたときの前記流体機械及び前記配管の全体の平面視面積は、前記流体機械及び前記配管のそれぞれの平面視面積を足し合わせた面積よりも小さいことが好ましい。
【００２１】
このことにより、着脱式送水装置の設置面積の低減が図られる。
【００２２】
前記案内棒の一部は曲がっており、前記案内部材は、前記案内棒を狭持する狭持部材を備えていることが好ましい。
【００２３】
このことにより、流体機械は案内棒の曲線形状に沿って姿勢変更を行う。したがって、案内棒の曲線形状を適宜調整することにより、流体機械の姿勢を任意に変更させることができる。流体機械の姿勢変更を簡易な構成により実現することができる。なお、案内棒は湾曲していてもよく、屈曲していてもよい。
【００２４】
本発明に係る着脱式送水装置の設置方法は、水槽内に設置され、前記水槽内に開放された開口端を有する配管と、前記配管の開口端に着脱自在に設けられ、前記水槽内の水に浸漬された状態で前記配管を通じて水を搬送する流体機械と、を備えた着脱式送水装置の設置方法であって、前記流体機械を水槽内に降下させる工程と、前記流体機械を引き続き降下させながら前記流体機械の姿勢を変更する工程と、前記流体機械を引き続き降下させながら変更後の姿勢で前記配管の開口端に装着する工程と、を包含する方法である。
【発明の効果】
【００２５】
以上のように、本発明によれば、配管に装着される前後で流体機械の姿勢が異なっているので、平面視面積が小さくなるような姿勢で流体機械を水槽内に搬入することにより、水槽の蓋の開口を小さくすることが可能となる。また、装着の際に流体機械の姿勢を変更し、流体機械の一部を配管の内部に収容することとすれば、装置全体の設置面積を低減することができる。また、流体機械用のケーシングの一部又は全部を配管側に設けることとすれば、ケーシングの一部又は全部が不要になる分だけ、流体機械の小型化及び軽量化を図ることができる。
【発明を実施するための最良の形態】
【００２６】
以下、本発明の実施形態を図面に基づいて詳細に説明する。
【００２７】
図１〜３に示すように、実施形態に係る着脱式送水装置は、水中ミキサ１０と配管２０とを備えており、水槽内に設置されている。水槽の上方には蓋３０が設けられており、この蓋３０には、水中ミキサ１０の搬入及び搬出に利用される開口３１が形成されている。
【００２８】
水槽の底面には架台２４が固定されており、配管２０は架台２４に支持されている。配管２０は、流路方向が約９０度変化するいわゆる曲がり管である。配管２０の一端は水平方向に開口し、流入口を形成している。一方、配管２０の他端は、上方に向かって開口している。配管２０の他端には、フランジ２１が設けられている。配管２０の流入口側は外側に向かって拡大しており、後述する水中ミキサ１０の羽根車２のケーシング（羽根車用ケーシング）２５を形成している。すなわち、本実施形態では、羽根車用ケーシング２５は配管２０の一部であり、配管２０と一体的に形成されている。ただし、羽根車用ケーシング２５と配管２０とが別体に形成され、配管２０に羽根車用ケーシング２５が固定されていてもよい。配管２０の他端のフランジ２１には、他の配管２３のフランジ２２が接続されている。
【００２９】
配管２３は、水を当該水槽内に導くように構成されていてもよく、水槽外に延びていてもよい。すなわち、本着脱式送水装置は、水を水槽内で循環させるものであってもよく、水を水槽外に搬送するものであってもよい。本着脱式送水装置の用途は、何ら限定されるものではない。
【００３０】
配管２０の流入口側の上部には、略上下方向に延びる案内棒１１が固定されている。図３に示すように、案内棒１１は、左右両側にそれぞれ一本ずつ設けられている。案内棒１１は中実棒であってもよいが、本実施形態では中空棒からなっている。案内棒１１の断面形状は何ら限定されず、例えば円形状であってもよく、矩形状等であってもよい。本実施形態では、案内棒１１は断面円形状に形成されている。案内棒１１の本数も２本に限定されず、１本又は３本以上であってもよい。案内棒１１が複数本設けられる場合、互いの形状は同一であってもよく、異なっていてもよい。案内棒１１の下側は、垂直方向から配管２０側に向かって湾曲した湾曲部１１ａとなっている。湾曲部１１ａの下端には、傾斜板状のストッパ１２が設けられている。
【００３１】
水中ミキサ１０は、水中モータ１と、水中モータ１の回転軸に連結された羽根車２とを備えている。水中ミキサ１０は、羽根車２の軸方向が略水平方向となるように横置きされている。図１に示すように、水中ミキサ１０が配管２０に装着された状態では、羽根車２は配管２０の羽根車用ケーシング２５の内部に収容されている。
【００３２】
水中ミキサ１０には、案内棒１１に沿って当該水中ミキサ１０の昇降を案内する案内部材４が設けられている。案内部材４は、水中ミキサ１０の上部に固定された支持板９と、支持板９の左右両側から左右方向に延びる支持棒７ａ，７ｂ（図２及び３参照）とを備えている。支持棒７ａ，７ｂの先端には、支持棒７ａ，７ｂと直交する略三角形状のガイド板６が固定されている。図１に示すように、ガイド板６の隅部には、ガイド板６から側方に突出する３本のローラ５ａ，５ｂ，５ｃが取り付けられている。第１ローラ５ａは、案内棒１１の配管２０側（図１の右側）に位置し、第２ローラ５ｂ及び第３ローラ５ｃは、案内棒１１の配管２０とは反対の側（図１の左側）に位置している。このように、第１〜第３ローラ５ａ〜５ｃは、案内棒１１を両側から挟み込むように位置しており、狭持部材を構成している。なお、水中ミキサ１０には、吊り下げ用のチェーン１５が取り付けられている。
【００３３】
次に、図４を参照しながら、水中ミキサ１０の設置方法について説明する。水中ミキサ１０の設置に際しては、まず、蓋３０の開口３１を通じて水中ミキサ１０を水槽内に搬入し、案内部材４（詳しくは、ローラ５ａ〜５ｃ）を案内棒１１に係合させた状態で水中ミキサ１０を降下させる。なお、案内棒１１が水槽外に延出している場合には、案内部材４と案内棒１１との係合は水中ミキサ１０が水槽内に搬入される前に開始される。一方、案内棒１１が水槽外に延出していない場合には、案内部材４と案内棒１１との係合は水中ミキサ１０が水槽内に搬入された後に開始される。
【００３４】
水中ミキサ１０が蓋３０の開口３１を通過するとき及び案内棒１１に案内されているときには、水中ミキサ１０の姿勢は、羽根車２の軸方向が斜め下方を向くように傾斜した姿勢となる。したがって、水中ミキサ１０の移動中の平面視長さＬ１は、水中ミキサ１０の設置時の平面視長さよりも短くなる。そのため、水中ミキサ１０の移動中の平面視面積は、設置時の平面視面積よりも小さくなる。
【００３５】
水中ミキサ１０を案内棒１１に沿って吊り降ろすと、案内部材４のローラ５ａ〜５ｃは、やがて案内棒１１の湾曲部１１ａに到達する。すると、ローラ５ａ〜５ｃは湾曲部１１ａに沿って移動するので、水中ミキサ１０の姿勢は傾斜姿勢から略水平姿勢に変更される。具体的には、水中ミキサ１０は、第１ローラ５ａを支点として回転する。そして、第１ローラ５ａ及び第３ローラ５ｃがストッパ１２によって係止されると、水中ミキサ１０の昇降及び姿勢変更は終了する。その結果、羽根車２が配管２０の羽根車用ケーシング２５の内部に収容され、水中ミキサ１０は配管２０に装着される（図１参照）。
【００３６】
メンテナンス等の際には、上述と逆の作業により、水中ミキサ１０を水槽外に搬出する。すなわち、吊り下げ用のチェーン１５を引き上げることにより、水中ミキサ１０を姿勢変更させながら配管２０から取り外し、傾斜姿勢のまま案内棒１１に沿って水槽外に吊り上げる。
【００３７】
以上のように、本実施形態に係る着脱式送水装置によれば、水中ミキサ１０を蓋３０の開口３１を通じて水槽内に搬入する際、又は、水中ミキサ１０を蓋３０の開口３１を通じて水槽外に搬出する際には、水中ミキサ１０は傾斜した姿勢で移動させられる。そのため、図４に示すように、開口３１の必要長さＡ１は、必ずしも水中ミキサ１０の長手方向長さよりも長くなくてもよい。すなわち、開口３１の必要長さＡ１は、傾斜姿勢における平面視長さＬ１よりも長ければよい。したがって、本実施形態によれば、開口３１の必要面積を小さくすることが可能となる。
【００３８】
また、装着時に水中ミキサ１０の羽根車２が配管２０の内部に収容されるので、装着時における水中ミキサ１０及び配管２０の全体の平面視面積を小さく抑えることができる。すなわち、水中ミキサ１０の一部が配管２０の内部に収容されない場合には、水中ミキサ１０自体の平面視面積と配管２０自体の平面視面積とを合計した合計面積が、装置全体の平面視面積となる。これに対し、本実施形態では、水中ミキサ１０の一部と配管２０とが平面視において重なっているので、装置全体の平面視面積は上記合計面積よりも小さくなる。したがって、着脱式送水装置の設置面積の低減を図ることができる。
【００３９】
さらに、本実施形態では、羽根車用ケーシング２５は、水中ミキサ１０側ではなく、配管２０側に設けられている。そのため、水中ミキサ１０において、羽根車用ケーシング２５は不要となる。したがって、水中ミキサ１０の小型化及び軽量化を図ることができる。その結果、水中ミキサ１０の搬入及び搬出作業が容易になる。
【００４０】
水中ミキサ１０の姿勢を変更する機構は、湾曲部１１ａを有する案内棒１１と、案内棒１１に係合するローラ５ａ〜５ｃを有する案内部材４とから構成されている。したがって、簡易かつ安価な構成により、水中ミキサに姿勢変更を行わせることが可能となる。
【００４１】
次に、図５を参照しながら、他の実施形態に係る着脱式送水装置について説明する。本実施形態に係る送水装置は、水中ポンプ４０と配管２０とを備えたものである。
【００４２】
配管２０は、前記実施形態と略同様の構成を有している。ただし、本実施形態では、配管２０の流入口側は、末広がり形状ではなく、直管形状に形成されている。
【００４３】
水中ポンプ４０は、水中モータ４２と、水中モータ４２の回転軸に連結された羽根車４１と、ケーシング４３とを備えている。ケーシング４３は、羽根車４１と水中モータ４２の羽根車４１側の一部とを覆っている。ケーシング４３の羽根車４１の周囲部は、末広がり形状に形成されている。ケーシング４３には、実施形態１とほぼ同様の案内部材４が取り付けられている。
【００４４】
本実施形態では、水中ポンプ４０が配管２０に装着された状態では、ケーシング４３と配管２０とが滑らかに連続し、水中モータ４２の一部が配管２０の内部に収容される。言い換えると、配管２０の流入口側は、水中モータ４２の一部を覆っており、ケーシング４３と共に水中ポンプ４０のケーシングを構成している。すなわち、配管２０は、水中ポンプ４０用のケーシングの一部を構成している。なお、配管２０は、必ずしも一体的に形成されている必要はなく、水中モータ４２を覆う部分とその他の部分とが分割自在に組み立てられていてもよい。
【００４５】
本実施形態においても、前記実施形態と同様にして、水中ポンプ４０を着脱することができる。すなわち、水中ポンプ４０の設置方法及び取り外し方法は、前記実施形態と同様である。
【００４６】
したがって、本実施形態においても、前述の諸効果を得ることができる。本実施形態においても、蓋３０の開口３１の必要面積を小さくすることができる。また、着脱式送水装置の設置面積を低減することができる。さらに、水中ポンプ４０の小型化及び軽量化を図ることができ、水中ポンプ４０の取り付け及び取り外しを容易化することができる。
【００４７】
ところで、前記各実施形態では、案内棒１１の下端に湾曲部１１ａを設け、水中ミキサ１０又は水中ポンプ４０（以下、水中ミキサ１０等という）の案内部材４を湾曲部１１ａに沿って移動させることによって、水中ミキサ１０等の姿勢を変更させていた。しかし、水中ミキサ１０等の姿勢を変更させる機構は、上述の機構に限定されるものではない。例えば、図６に示すように、傾斜板状のストッパ１２ａを案内棒１１の下端に設け、湾曲部１１ａを省略することも可能である。つまり、案内棒１１をまっすぐな棒で形成することも可能である。この場合、水中ミキサ１０等が傾斜姿勢のままで案内棒１１に沿って降下すると、ローラ５ａがストッパ１２ａに接触し、その後、水中ミキサ１０等はローラ５ａを支点として回転する。その結果、水中ミキサ１０等の姿勢は傾斜姿勢から水平姿勢に変更され、水中ミキサ１０等は配管２０に装着される。
【００４８】
前記実施形態では、水中ミキサ１０等は、配管２０の流入口側に装着され、水槽内の水を配管２０に供給するものであった。しかし、水中ミキサ１０等は、配管２０の流出口側に装着され、配管２０から水槽内に水を供給するものであってもよい。
【００４９】
前記実施形態では、着脱式送水装置を構成する流体機械は、水中ミキサ１０又は水中ポンプ４０であった。しかし、本発明に係る流体機械は、水槽内の水に浸漬された状態で水の搬送を行うものである限り、特定の種類のものには限定されない。
【００５０】
本発明に係る着脱式送水装置は、例えば、汚水処理施設、マンホールポンプ場、ポンプゲートシステム等において好適に用いられる。ただし、本着脱式送水装置の利用対象は、何ら限定されるものではない。
【産業上の利用可能性】
【００５１】
以上説明したように、本発明は、例えば、汚水処理施設等の水処理施設、ポンプゲートシステム等の排水施設等について有用である。
【図面の簡単な説明】
【００５２】
【図１】実施形態に係る着脱式送水装置の側面図である。
【図２】実施形態に係る着脱式送水装置の平面図である。
【図３】実施形態に係る着脱式送水装置の正面図である。
【図４】水中ミキサの設置方法を説明する概念図である。
【図５】他の実施形態に係る着脱式送水装置の側面図である。
【図６】他の実施形態に係る着脱式送水装置の側面図である。
【図７】従来の着脱式送水装置の側面図である。
【図８】従来の着脱式送水装置の側面図である。
【符号の説明】
【００５３】
１，４２    水中モータ
２，４１    羽根車
４          案内部材
５ａ〜５ｃ  ローラ（狭持部材）
１０        水中ミキサ（流体機械）
１１        案内棒
１１ａ      屈曲部
２０        配管
２５        羽根車用ケーシング（開口端）
３０        蓋
３１        蓋の開口
４０        水中ポンプ
４３        ケーシング
【図１】
2006029120.tif 000003
【図２】
2006029120.tif 000004
【図３】
2006029120.tif 000005
【図４】
2006029120.tif 000006
【図５】
2006029120.tif 000007
【図６】
2006029120.tif 000008
【図７】
2006029120.tif 000009
【図８】
2006029120.tif 000010